(57)【要約】【課題】従来、部門や役職の構造が複雑、複数部門の兼務者に通行条件パターン番号を与えようとする場合には、通行条件のパターン定義自体を追加修正する必要が発生するという課題があった。【解決手段】個人ＩＤの読み取りを行なう個人ＩＤ読取装置２ｃと、通行扉に設置された電気錠２ｂと、個人ＩＤに対応して複数の通行条件パターン番号が設定された通行条件個人テーブル５ａと、通行条件パターン番号に対応して扉別の通行許可、不許可の通行条件が設定された通行条件パターンテーブル５ｂと、前記個人ＩＤ読取装置により読み取った個人ＩＤに基づいて前記通行条件個人テーブルから通行条件パターン番号を認識し、前記通行条件パターンテーブルから前記認識した通行条件パターン番号に対応する扉が通行許可の場合には該当電気錠を解錠する通行制御装置２ａとを備えた。【効果】通行条件パターンの増大や複雑化を防ぐことができる。【選択図】　　　　図１
2004100334.tif 000002
【特許請求の範囲】
【請求項１】
個人ＩＤの読み取りを行なう個人ＩＤ読取装置と、
通行扉に設置された電気錠と、
個人ＩＤに対応して複数の通行条件パターン番号が設定された通行条件個人テーブルと、
通行条件パターン番号に対応して扉別の通行許可、不許可の通行条件が設定された通行条件パターンテーブルと、
前記個人ＩＤ読取装置により読み取った個人ＩＤに基づいて前記通行条件個人テーブルから通行条件パターン番号を認識し、前記通行条件パターンテーブルから前記認識した通行条件パターン番号に対応する扉が通行許可の場合には該当電気錠を解錠する通行制御装置と
を備えたことを特徴とする出入管理装置。
【請求項２】
前記通行条件個人テーブルは、個人ＩＤに対応して扉別の通行許可、不許可の通行条件がさらに設定され、
前記通行制御装置は、前記個人ＩＤ読取装置により読み取った個人ＩＤに基づいて前記通行条件個人テーブルから前記個人ＩＤに対応する扉が通行許可の場合には該当電気錠を解錠する
ことを特徴とする請求項１記載の出入管理装置。
【請求項３】
前記通行条件個人テーブル、及び前記通行条件パターンテーブルを登録するための中央管理装置
をさらに備えたことを特徴とする請求項１又は２記載の出入管理装置。
【発明の詳細な説明】
【０００１】
【発明の属する技術分野】
この発明は、ビル、倉庫、機械室などに設置され、通行を許可する扉、期間、時間帯、曜日などから構成される通行条件を通行扉の管理者が登録することにより通行利用者を限定する出入管理装置に関するものである。
【０００２】
【従来の技術】
一般的にビル、倉庫、機械室等の通行制御を行なう出入管理装置は、その管理端末により磁気カードやＩＣカード番号、もしくは指紋、虹彩等身体的特徴による個人識別情報のほかに、通行制御する条件として扉、期間、時間帯、曜日などから構成される通行条件を登録する。
【０００３】
従来の技術では、通行条件の登録において、通行を許可する扉、期間、時間帯、曜日などから構成される通行条件を、部門や役職に応じてパターン定義し、各個人に対しては唯一つのパターン番号を与えることにより通行条件を登録し通行制御している。
【０００４】
【発明が解決しようとする課題】
しかしながら、従来の方式では、部門や役職などでパターン化された唯一つの通行条件パターン番号を各個人に与えることにより通行条件を決定することから、部門や役職の構造が複雑であったり、複数部門の兼務者に通行条件パターン番号を与えようとする場合には、通行条件のパターン定義自体を追加修正、もしくはパターン定義全体を見直す必要が発生したり、管理者の作業が非常に複雑面倒であるという問題点があった。
【０００５】
さらに、会護室などのように特定者に特定期間だけ通行許可するような通行扉においては、管理者の作業はより一層大きなものとなることが考えられる。
【０００６】
この発明は、前述した問題点を解決するためになされたもので、複雑化する通行条件の設定をきめ細かく容易に登録及び管理することができ、管理者の作業を軽減することができる出入管理装置を得ることを目的とする。
【０００７】
【課題を解決するための手段】
この発明の請求項１に係る出入管理装置は、個人ＩＤの読み取りを行なう個人ＩＤ読取装置と、通行扉に設置された電気錠と、個人ＩＤに対応して複数の通行条件パターン番号が設定された通行条件個人テーブルと、通行条件パターン番号に対応して扉別の通行許可、不許可の通行条件が設定された通行条件パターンテーブルと、前記個人ＩＤ読取装置により読み取った個人ＩＤに基づいて前記通行条件個人テーブルから通行条件パターン番号を認識し、前記通行条件パターンテーブルから前記認識した通行条件パターン番号に対応する扉が通行許可の場合には該当電気錠を解錠する通行制御装置とを備えたものである。
【０００８】
この発明の請求項２に係る出入管理装置は、前記通行条件個人テーブルが、個人ＩＤに対応して扉別の通行許可、不許可の通行条件がさらに設定され、前記通行制御装置が、前記個人ＩＤ読取装置により読み取った個人ＩＤに基づいて前記通行条件個人テーブルから前記個人ＩＤに対応する扉が通行許可の場合には該当電気錠を解錠するものである。
【０００９】
この発明の請求項３に係る出入管理装置は、前記通行条件個人テーブル、及び前記通行条件パターンテーブルを登録するための中央管理装置をさらに備えたものである。
【００１０】
【発明の実施の形態】
実施の形態１．
この発明の実施の形態１に係る出入管理装置について図面を参照しながら説明する。図１は、この発明の実施の形態１に係る出入管理装置の構成を示す図である。なお、各図中、同一符号は同一又は相当部分を示す。
【００１１】
図１において、１は管理者が通行条件の登録作業などを行う中央管理装置、２ａ、３ａ、４ａは通行制御装置、２ｂ、３ｂ、４ｂは電気錠、２ｃ、３ｃ、４ｃは個人ＩＤ読取装置である。
【００１２】
図２は、この発明の実施の形態１に係る出入管理装置の一部がビル内に設置された場合の位置関係を示す図である。
【００１３】
図２において、２ｂは電気錠、２０１は通行扉である。
【００１４】
図３は、この発明の実施の形態１に係る出入管理装置の通行条件個人テーブルの構成を示す図である。
【００１５】
図３において、通行条件個人テーブル５ａは、個人番号と、通行条件パターン番号（２つ）と、通行扉に対する通行条件から構成される。
【００１６】
図４は、この発明の実施の形態１に係る出入管理装置の通行条件パターンテーブルの構成を示す図である。
【００１７】
図４において、通行条件パターンテーブル５ｂは、パターン番号と、通行扉に対する通行条件から構成される。
【００１８】
図１に示す中央管理装置１に登録された通行条件個人テーブル５ａ及び通行条件パターンテーブル５ｂは、各通行制御装置２ａ、３ａ、４ａに配信され、通行許可、不許可の判断に使用される。なお、通行条件個人テーブル５ａの通行条件パターン番号または各扉の通行条件によって○（丸）となっている扉のみ通行可能とする。
【００１９】
図３に示す個人番号１１２２３３の例は、通行条件パターン番号００１を設定することで、図４に示すように、２０１扉、２０２扉を通行可能とする。また、個人番号３３４４５５の例は、通行条件パターン番号００２を設定することで、３０１扉、３０２扉を通行可能とする。
【００２０】
また、個人番号６６７７８８の例は、通行条件パターン番号００１、及び００２を設定することで、２０１扉、２０２扉、３０１扉、３０２扉を通行可能とする。この例は、通行条件パターンテーブル５ｂを変更することなく通行条件を設定可能とする。
【００２１】
さらに、個人番号９９００１１の例は、扉毎の通行条件を設定することで、２０１扉、２０２扉、３０１扉、３０２扉のほかに、４０１扉、４０２扉を通行可能とする。この例は、通行条件パターンテーブル５ｂを変更することなく通行条件を設定可能とする。
【００２２】
つぎに、この実施の形態１に係る出入管理装置の動作について図面を参照しながら説明する。
【００２３】
図５は、この発明の実施の形態１に係る出入管理装置の動作を示すフローチャートである。
【００２４】
通行制御装置２ａ〜４ａにおける、通行条件個人テーブル５ａ、及び通行条件パターンテーブル５ｂによる通行制御の動作を説明する。例えば、通行制御装置２ａについて説明する。
【００２５】
ステップ１０１において、通行制御装置２ａは、通行利用者により個人ＩＤ読取装置２ｃの操作が行なわれたかどうかを判断する。
【００２６】
次に、ステップ１０２において、個人ＩＤ読取装置２ｃにより、その個人ＩＤ（個人番号）の読み取りを行なう。
【００２７】
次に、ステップ１０３において、図３に示す通行条件個人テーブル５ａ内の１番目の通行条件パターン番号１を認識する。
【００２８】
次に、ステップ１０４において、認識した通行条件パターン番号１により関連づけられる、図４に示す通行条件パターンテーブル５ｂにより通行許可されているかどうかを判断する。通行許可されている場合はステップ１０５へ進み、通行許可されていない場合にはステップ１０６へ進む。
【００２９】
次に、ステップ１０５において、通行許可されている場合は、該当扉の電気錠２ｂを解錠する。
【００３０】
次に、ステップ１０６において、通行許可されていない場合には、図３に示す通行条件個人テーブル５ａ内の２番目の通行条件パターン番号２を認識する。
【００３１】
次に、ステップ１０７において、認識した通行条件パターン番号２により関連づけられる、図４に示す通行条件パターンテーブル５ｂにより通行許可されているかどうかを判断する。通行許可されている場合はステップ１０８へ進み、通行許可されていない場合にはステップ１０９へ進む。
【００３２】
次に、ステップ１０８において、通行許可されている場合は、該当扉の電気錠２ｂを解錠する。
【００３３】
次に、ステップ１０９において、通行許可されていない場合には、図３に示す通行条件個人テーブル５ａ内の扉別の通行条件を認識する。
【００３４】
次に、ステップ１１０において、認識した扉別の通行条件により通行許可されているかどうかを判断する。通行許可されている場合はステップ１１１へ進み、通行許可されていない場合には通行不許可とする。
【００３５】
ステップ１１１において、扉別の通行条件が通行許可されている場合には、該当の扉の電気綻２ｂを解錠する。
【００３６】
管理者が行う各扉の通行利用者の限定、すなわち通行条件の登録作業において、各個人に対して通行条件パターンを複数（２つ以上）登録可能とすることと、扉毎に通行条件を登録可能とすることで、通行条件パターンの増大や複雑化を防ぐことが可能となり、ひいては管理者の作業負荷の軽減や管理者の専門化を防止することができる。
【００３７】
すなわち、この実施の形態１に係る出入管理装置は、管理者が通行条件を登録する場合、部門や役職毎に定義される通行条件パターン番号を各個人に複数（２つ以上）登録可能とし、通行制御装置においては、ここで登録された複数の通行条件パターン番号のいずれかが通行条件を満足していれば通行を許可する。
【００３８】
管理者が通行条件を登録する際、部門や役職の構造が複雑な場合や複数部門の兼務者に対する場合にも通行条件パターンを修正する必要が無く、各個人に対して通行資格を与えるだけで管理作業を可能とする。
【００３９】
また、この実施の形態１に係る出入管理装置は、管理者が通行条件を登録する場合、通行を許可する扉を各個人に個別に登録可能とし、通行制御装置においては、ここで登録された通行条件を満足していれば通行を許可する。
【００４０】
管理者が通行条件を登録する際、一時的に特定者に特定期間だけ通行許可するような突発的な場合にも通行条件パターンを修正する必要が無く、各個人に対して通行資格を与えるだけで管理作業を可能とする。
【００４１】
【発明の効果】
この発明の請求項１に係る出入管理装置は、以上説明したとおり、個人ＩＤの読み取りを行なう個人ＩＤ読取装置と、通行扉に設置された電気錠と、個人ＩＤに対応して複数の通行条件パターン番号が設定された通行条件個人テーブルと、通行条件パターン番号に対応して扉別の通行許可、不許可の通行条件が設定された通行条件パターンテーブルと、前記個人ＩＤ読取装置により読み取った個人ＩＤに基づいて前記通行条件個人テーブルから通行条件パターン番号を認識し、前記通行条件パターンテーブルから前記認識した通行条件パターン番号に対応する扉が通行許可の場合には該当電気錠を解錠する通行制御装置とを備えたので、通行条件パターンの増大や複雑化を防ぐことが可能となり、ひいては管理者の作業負荷の軽減することができるという効果を奏する。
【００４２】
この発明の請求項２に係る出入管理装置は、以上説明したとおり、前記通行条件個人テーブルが、個人ＩＤに対応して扉別の通行許可、不許可の通行条件がさらに設定され、前記通行制御装置が、前記個人ＩＤ読取装置により読み取った個人ＩＤに基づいて前記通行条件個人テーブルから前記個人ＩＤに対応する扉が通行許可の場合には該当電気錠を解錠するので、通行条件パターンの増大や複雑化を防ぐことが可能となり、ひいては管理者の作業負荷の軽減することができるという効果を奏する。
【００４３】
この発明の請求項３に係る出入管理装置は、以上説明したとおり、前記通行条件個人テーブル、及び前記通行条件パターンテーブルを登録するための中央管理装置をさらに備えたので、通行条件パターンの増大や複雑化を防ぐことが可能となり、ひいては管理者の作業負荷の軽減することができるという効果を奏する。
【図面の簡単な説明】
【図１】この発明の実施の形態１に係る出入管理装置の構成を示す図である。
【図２】この発明の実施の形態１に係る出入管理装置が設置されたビルの平面を示す図である。
【図３】この発明の実施の形態１に係る出入管理装置の通行条件個人テーブルの構成を示す図である。
【図４】この発明の実施の形態１に係る出入管理装置の通行条件パターンテーブルの構成を示す図である。
【図５】この発明の実施の形態１に係る出入管理装置の動作を示すフローチャートである。
【符号の説明】
１　中央管理装置、２ａ、３ａ、４ａ　通行制御装置、２ｂ、３ｂ、４ｂ　電気錠、２ｃ、３ｃ、４ｃ　個人ＩＤ読取装置、５ａ　通行条件個人テーブル、５ｂ　通行条件パターンテーブル。
【図１】
2004100334.tif 000003
【図２】
2004100334.tif 000004
【図３】
2004100334.tif 000005
【図４】
2004100334.tif 000006
【図５】
2004100334.tif 000007